(57)【要約】【課題】レガシーインターフェースを使用するシステム間ハンドオーバ。【解決手段】アクセスゲートウェイ（ＡＧＷ）は、第１の無線アクセスネットワーク（ＲＡＮ）から第２のＲＡＮへのユーザ機器（ＵＥ）のハンドオーバを要求するメッセージを送信する。このメッセージは、Ｇｎインターフェースを介して第２のＲＡＮ用のＳＧＳＮと通信する、第１のＲＡＮ用のインターアクセスシステムアンカーに送信される。インターアクセスシステムアンカーおよびＳＧＳＮはＧｎインターフェースを介してメッセージを交換し、インターアクセスシステムアンカーは、ＵＥを第１のＲＡＮから第２のＲＡＮへとハンドオーバさせるために、このメッセージをＡＧＷに転送する。ＳＧＳＮはインターアクセスシステムアンカーを、ハンドオーバの場合は他のＳＧＳＮとみなし、ハンドオーバ後はＧＧＳＮとみなす。【選択図】      図１
2009503941.tif 000002
【特許請求の範囲】
【請求項１】
第１の無線アクセスネットワーク（ＲＡＮ）と通信すること、前記第１のＲＡＮから第２のＲＡＮへとハンドオーバするためのメッセージを受信することであって、前記ハンドオーバは、前記第１のＲＡＮ用の第１のネットワークエンティティと前記第２のＲＡＮ用の第２のネットワークエンティティとの間でＧｎインターフェースを介して交換されたメッセージによって実行される、メッセージを受信すること、および、前記ハンドオーバ後に前記第２のＲＡＮと通信することを、実行するための、少なくとも１つのプロセッサと、
前記少なくとも１つのプロセッサに結合されたメモリと、
を備える装置。
【請求項２】
前記少なくとも１つのプロセッサは、第１のプロトコルスタックを使用して前記第１のＲＡＮと通信し、第２のプロトコルスタックを使用して前記第２のＲＡＮと通信する、請求項１に記載の装置。
【請求項３】
前記少なくとも１つのプロセッサは、前記第１のＲＡＮとの通信を切断し、その後前記第２のＲＡＮと通信する、請求項１に記載の装置。
【請求項４】
前記第１のネットワークエンティティはインターアクセスシステムアンカー（Inter Access System Anchor）であり、前記第２のネットワークエンティティはセービングＧＰＲＳサーポートノード（Serving GPRS Support Node(ＳＧＳＮ)）である、請求項１に記載の装置。
【請求項５】
前記少なくとも１つのプロセッサは、前記第２のＲＡＮへのハンドオーバ後、インターアクセスシステムアンカーおよびＳＧＳＮを介してパケットを交換する、請求項４に記載の装置。
【請求項６】
前記第２のＲＡＮはユニバーサル地上無線接続網（Universal Terrestrial Radio Access Network（ＵＴＲＡＮ））であり、前記第１のＲＡＮは進化したＵＴＲＡＮ（Ｅ−ＵＴＲＡＮ）である、請求項１に記載の装置。
【請求項７】
第１の無線アクセスネットワーク（ＲＡＮ）と通信すること、
前記第１のＲＡＮから第２のＲＡＮへとハンドオーバするためのメッセージを受信することであって、前記ハンドオーバは、前記第１のＲＡＮ用の第１のネットワークエンティティと前記第２のＲＡＮ用の第２のネットワークエンティティとの間でＧｎインターフェースを介して交換されたメッセージによって実行される、受信すること、および
前記ハンドオーバ後、前記第２のＲＡＮと通信すること、
を含む方法。
【請求項８】
前記第１のＲＡＮと通信することは、第１のプロトコルスタックを使用して前記第１のＲＡＮと通信することを含み、前記第２のＲＡＮと通信することは、第２のプロトコルスタックを使用して前記第２のＲＡＮと通信することを含む、請求項７に記載の方法。
【請求項９】
前記第２のＲＡＮへのハンドオーバ後、前記第１および第２のネットワークエンティティを介してパケットを交換することをさらに含む、請求項７に記載の方法。
【請求項１０】
第１の無線アクセスネットワーク（ＲＡＮ）と通信するための手段と、
前記第１のＲＡＮから第２のＲＡＮへとハンドオーバするためのメッセージを受信するための手段であって、前記ハンドオーバは、前記第１のＲＡＮ用の第１のネットワークエンティティと前記第２のＲＡＮ用の第２のネットワークエンティティとの間でＧｎインターフェースを介して交換されたメッセージによって実行される、受信するための手段と、
前記ハンドオーバ後、前記第２のＲＡＮと通信するための手段と、
を備える装置。
【請求項１１】
前記第１のＲＡＮと通信するための手段は、第１のプロトコルスタックを使用して前記第１のＲＡＮと通信するための手段を含み、前記第２のＲＡＮと通信するための手段は、第２のプロトコルスタックを使用して前記第２のＲＡＮと通信するための手段を含む、請求項１０に記載の装置。
【請求項１２】
前記第２のＲＡＮへのハンドオーバ後、前記第１および第２のネットワークエンティティを介してパケットを交換するための手段をさらに含む、請求項１０に記載の装置。
【請求項１３】
第１の無線アクセスネットワーク（ＲＡＮ）から第２のＲＡＮへのユーザ機器（ＵＥ）のハンドオーバを要求するメッセージを送信することであって、前記メッセージはＧｎインターフェースを介して、前記第２のＲＡＮ用の第２のネットワークエンティティと通信する前記第１のＲＡＮ用の第１のネットワークエンティティに送信される、送信すること、前記第１のＲＡＮから前記第２のＲＡＮへと前記ＵＥをハンドオーバするために、前記第１のネットワークエンティティを介して前記第２のネットワークエンティティとメッセージを交換すること、および、前記第１のＲＡＮから前記第２のＲＡＮへのハンドオーバを実行するために前記ＵＥにメッセージを送信することを、実行するための、少なくとも１つのプロセッサと、
前記少なくとも１つのプロセッサに結合されたメモリと、
を備える装置。
【請求項１４】
前記少なくとも１つのプロセッサは、前記第１のＲＡＮおよび前記第２のＲＡＮ内の基地局に関する測定レポートを前記ＵＥから受信し、前記測定レポートに基づいて前記第１のＲＡＮから前記第２のＲＡＮへの前記ＵＥのハンドオーバを開始する、請求項１３に記載の装置。
【請求項１５】
前記第１のネットワークエンティティはインターアクセスシステムアンカーであり、前記第２のネットワークエンティティはセービングＧＰＲＳサーポートノード（ＳＧＳＮ）である、請求項１３に記載の装置。
【請求項１６】
前記少なくとも１つのプロセッサは、前記ＵＥの再配置完了を示すメッセージを前記第２のネットワークエンティティから受信し、前記ＵＥに関する無線リソースを解放する、請求項１３に記載の装置。
【請求項１７】
前記少なくとも１つのプロセッサは、前記第１のネットワークエンティティを介して前記ＵＥに関する無線コンテキストを前記第２のネットワークエンティティに転送する、請求項１３に記載の装置。
【請求項１８】
前記少なくとも１つのプロセッサは、前記第１のネットワークエンティティを介して前記ＵＥに関するパケットデータプロトコル（ＰＤＰ）コンテキストを前記第２のネットワークエンティティに転送する、請求項１３に記載の装置。
【請求項１９】
第１の無線アクセスネットワーク（ＲＡＮ）から第２のＲＡＮへのユーザ機器（ＵＥ）のハンドオーバを要求するメッセージを送信することであって、前記メッセージはＧｎインターフェースを介して、前記第２のＲＡＮ用の第２のネットワークエンティティと通信する前記第１のＲＡＮ用の第１のネットワークエンティティに送信される、送信すること、
前記第１のＲＡＮから前記第２のＲＡＮへと前記ＵＥをハンドオーバするために、前記第１のネットワークエンティティを介して前記第２のネットワークエンティティとメッセージを交換すること、および、
前記第１のＲＡＮから前記第２のＲＡＮへのハンドオーバを実行するために前記ＵＥにメッセージを送信すること、
を含む方法。
【請求項２０】
前記第１のネットワークエンティティを介して前記ＵＥに関する無線コンテキストを前記第２のネットワークエンティティに転送することをさらに含む、請求項１９に記載の方法。
【請求項２１】
前記第１のネットワークエンティティを介して前記ＵＥに関するパケットデータプロトコル（ＰＤＰ）コンテキストを前記第２のネットワークエンティティに転送することをさらに含む、請求項１９に記載の方法。
【請求項２２】
第１の無線アクセスネットワーク（ＲＡＮ）から第２のＲＡＮへのユーザ機器（ＵＥ）のハンドオーバを要求するメッセージを送信するための手段であって、前記メッセージはＧｎインターフェースを介して、前記第２のＲＡＮ用の第２のネットワークエンティティと通信する前記第１のＲＡＮ用の第１のネットワークエンティティに送信される、送信するための手段と、
前記第１のＲＡＮから前記第２のＲＡＮへと前記ＵＥをハンドオーバするために、前記第１のネットワークエンティティを介して前記第２のネットワークエンティティとメッセージを交換するための手段と、
前記第１のＲＡＮから前記第２のＲＡＮへのハンドオーバを実行するために前記ＵＥにメッセージを送信するための手段と、
を備える装置。
【請求項２３】
前記第１のネットワークエンティティを介して前記ＵＥに関する無線コンテキストを前記第２のネットワークエンティティに転送する手段をさらに含む、請求項２２に記載の装置。
【請求項２４】
前記第１のネットワークエンティティを介して前記ＵＥに関するパケットデータプロトコル（ＰＤＰ）コンテキストを前記第２のネットワークエンティティに転送する手段をさらに含む、請求項２２に記載の装置。
【請求項２５】
第１の無線アクセスネットワーク（ＲＡＮ）から第２のＲＡＮへのユーザ機器（ＵＥ）のハンドオーバを要求するメッセージを受信すること、および前記第１のＲＡＮから前記第２のＲＡＮへと前記ＵＥをハンドオーバするために、Ｇｎインターフェースを介してターゲットセービングＧＰＲＳサーポートノード（ＳＧＳＮ）とメッセージを交換することを、実行するための、少なくとも１つのプロセッサと、
前記少なくとも１つのプロセッサに結合されたメモリと、
を備える装置。
【請求項２６】
前記少なくとも１つのプロセッサは、前記ターゲットＳＧＳＮとの前記メッセージ交換のためにソースＳＧＳＮをエミュレートする、請求項２５に記載の装置。
【請求項２７】
前記少なくとも１つのプロセッサは、前記第１のＲＡＮから前記第２のＲＡＮへの前記ハンドオーバを２つのＳＧＳＮ間のハンドオーバとして扱う、ＳＧＳＮ間のセービング無線ネットワークサブシステム（Serving Radio Network Subsystem（ＳＲＮＳ））再配置プロシージャに参加する、請求項２５に記載の装置。
【請求項２８】
前記少なくとも１つのプロセッサは、前記ターゲットＳＧＳＮと交換した前記メッセージを、前記第１のＲＡＮ用であり前記ＵＥと通信する、アクセスゲートウェイ（ＡＧＷ）に転送する、請求項２５に記載の装置。
【請求項２９】
前記少なくとも１つのプロセッサは、前記第２のＲＡＮへの前記ハンドオーバ後に、ゲートウェイＧＰＲＳサポートノード（ＧＧＳＮ）をエミュレートし、前記ターゲットＳＧＳＮと前記ＵＥに関するパケットを交換する、請求項２５に記載の装置。
【請求項３０】
前記メモリは、前記ＵＥに関するパケットデータプロトコル（ＰＤＰ）コンテキストを格納し、前記少なくとも１つのプロセッサは前記ＰＤＰコンテキストに従って前記ＵＥに関するパケットを転送する、請求項２５に記載の装置。
【請求項３１】
前記第２のＲＡＮはＵＴＲＡＮであり、前記第１のＲＡＮはＥ−ＵＴＲＡＮである、請求項２５に記載の装置。
【請求項３２】
前記第１のＲＡＮはＵＴＲＡＮであり、前記第２のＲＡＮはＥ−ＵＴＲＡＮである、請求項２５に記載の装置。
【請求項３３】
第１の無線アクセスネットワーク（ＲＡＮ）から第２のＲＡＮへのユーザ機器（ＵＥ）のハンドオーバを要求するメッセージを受信すること、および
前記第１のＲＡＮから前記第２のＲＡＮへと前記ＵＥをハンドオーバするために、Ｇｎインターフェースを介してターゲットセービングＧＰＲＳサーポートノード（ＳＧＳＮ）とメッセージを交換すること、
を含む方法。
【請求項３４】
前記ターゲットＳＧＳＮとの前記メッセージ交換のためにソースＳＧＳＮをエミュレートすることをさらに含む、請求項３３に記載の方法。
【請求項３５】
前記第２のＲＡＮへの前記ハンドオーバ後に、ゲートウェイＧＰＲＳサポートノード（ＧＧＳＮ）をエミュレートすること、および
前記ターゲットＳＧＳＮと前記ＵＥに関するパケットを交換すること、
をさらに含む、請求項３３に記載の方法。
【請求項３６】
第１の無線アクセスネットワーク（ＲＡＮ）から第２のＲＡＮへのユーザ機器（ＵＥ）のハンドオーバを要求するメッセージを受信するための手段と、
前記第１のＲＡＮから前記第２のＲＡＮへと前記ＵＥをハンドオーバするために、Ｇｎインターフェースを介してターゲットセービングＧＰＲＳサーポートノード（ＳＧＳＮ）とメッセージを交換するための手段と、
を備える装置。
【請求項３７】
前記ターゲットＳＧＳＮとの前記メッセージ交換のためにソースＳＧＳＮをエミュレートするための手段をさらに備える、請求項３６に記載の装置。
【請求項３８】
前記第２のＲＡＮへの前記ハンドオーバ後に、ゲートウェイＧＰＲＳサポートノード（ＧＧＳＮ）をエミュレートするための手段と、
前記ターゲットＳＧＳＮと前記ＵＥに関するパケットを交換するための手段と、
をさらに備える、請求項３６に記載の装置。
【発明の詳細な説明】
【技術分野】
【０００１】
［３５Ｕ．Ｓ．Ｃ．§１１９の下での優先権の主張］
本特許出願は、譲受人に譲渡され、参照により本明細書に明示的に組み込まれた、２００５年７月１９日出願の「Ｇｎ−Ｂａｓｅｄ  Ｈａｎｄｏｖｅｒ  ｂｅｔｗｅｅｎ  ａ  Ｎｅｗ  Ａｃｃｅｓｓ  Ｓｙｓｔｅｍ  ａｎｄ  ＵＭＴＳ」という名称の仮出願第６０／７０１２４０号に対する優先権を主張する。
【０００２】
［分野］
本開示は、一般に通信に関し、より具体的には、異なる無線アクセス技術を使用する無線通信ネットワーク間でハンドオーバを実行するための技法に関する。
【背景技術】
【０００３】
無線通信ネットワークは、音声、ビデオ、パケットデータ、メッセージング、放送などの様々な通信サービスを提供するために広く展開されている。これらのネットワークは、使用可能なネットワークリソースを共有することによって、複数のユーザに対して通信をサポートすることができる多重アクセスネットワークとすることができる。こうした多重アクセスネットワークの例には、符号分割多重アクセス（ＣＤＭＡ）ネットワーク、時分割多重アクセス（ＴＤＭＡ）ネットワーク、および周波数分割多重アクセス（ＦＤＭＡ）ネットワークが含まれる。ＣＤＭＡネットワークは、ｃｄｍａ２０００または広帯域ＣＤＭＡ（Ｗ−ＣＤＭＡ）などの、無線アクセス技術（ＲＡＴ）を実施することが可能であり、ｃｄｍａ２０００はＩＳ−２０００、ＩＳ−９５、およびＩＳ−８５６標準をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）などのＲＡＴを実施することができる。Ｗ−ＣＤＭＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と命名された組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と命名された組織からの文書に記載されている。これら様々なＲＡＴおよび標準は、当技術分野で知られている。
【０００４】
無線通信ネットワーク向けのデータ使用量は、ユーザ数の増加ならびにより高いデータ要件を伴う新しいアプリケーションの出現により、増え続けている。したがって、性能が強化された新しい無線ネットワークが引き続き開発および展開されている。ＧＳＭおよびＩＳ−９５ネットワークなどの第２世代（２Ｇ）無線ネットワークは、音声および低速データサービスを提供することができる。（Ｗ−ＣＤＭＡを実施する）Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ネットワークおよび（ＩＳ−２０００を実施する）ＣＤＭＡ２０００  １Ｘネットワークなどの第３世代（３Ｇ）無線ネットワークは、音声およびデータ同時サービス、より高いデータレート、および他の拡張機能をサポートすることができる。次世代無線ネットワークは、既存の２Ｇおよび３Ｇの無線ネットワークよりも高い性能およびより多くの機能を提供することになる可能性が高い。
【０００５】
新しい無線ネットワークの開発および展開における主要な課題は、既存の無線ネットワークとの相互運用性である。無線ユーザによって、新しい無線ネットワークと既存の無線ネットワークとの間をシームレスにローミングできることが望ましい。これにより、ユーザは新しい無線ネットワークの性能利点と、既存の無線ネットワークのカバレッジ特典とを享受することができる。
【非特許文献１】「Ｎｅｔｗｏｒｋ  ａｒｃｈｉｔｅｃｔｕｒｅ」と題する３ＧＰＰ  ＴＳ  ２３．００２、２００６年３月
【非特許文献２】「Ｆｅａｓｉｂｉｌｉｔｙ  Ｓｔｕｄｙ  ｆｏｒ  Ｅｖｏｌｖｅｄ  ＵＴＲＡ  ａｎｄ  ＵＴＲＡＮ」と題する３ＧＰＰ  ＴＲ  ２５．９１２、２００６年６月
【非特許文献３】Ｈａｒｒｉ  Ｈｏｌｍａ等による「Ｗ−ＣＤＭＡ  ｆｏｒ  ＵＭＴＳ」Ｓｅｃｔｉｏｎ  ７、２００１年
【非特許文献４】「ＧＰＲＳ  Ｔｕｎｎｅｌｌｉｎｇ  Ｐｒｏｔｏｃｏｌ（ＧＴＰ）  ａｃｒｏｓｓ  Ｇｎ  ａｎｄ  Ｇｐ  ｉｎｔｅｒｆａｃｅ」と題する３ＧＰＰ  ＴＳ  ２９．０６０、２００６年６月
【発明の開示】
【０００６】
［概要］
本明細書では、第１の無線アクセスネットワーク（ＲＡＮ；radio access network）から第２のＲＡＮへのユーザ機器（ＵＥ；user equipment）のシステム間ハンドオーバを実行するための技法が説明される。第２のＲＡＮは、ユニバーサル地上無線接続網（Universal Terrestrial Radio Access Network(ＵＴＲＡＮ)）とすることが可能であり、第１のＲＡＮは進化した(Evolved)ＵＴＲＡＮ（Ｅ−ＵＴＲＡＮ）とすることが可能であるか、またはその逆が可能である。Ｅ−ＵＴＲＡＮは、性能が強化された新しいＲＡＮである。第１および第２のＲＡＮは、他の無線アクセス技術のＲＡＮとすることもできる。
【０００７】
本発明の実施形態に従った、少なくとも１つのプロセッサおよびメモリを含む装置（たとえばＵＥ）について説明する。プロセッサは第１のＲＡＮと通信し、第１のＲＡＮから第２のＲＡＮへとハンドオーバするためのメッセージを受け取り、たとえば第１のＲＡＮ用の第１のプロトコルスタック(protocol stack)を停止させ、第２のＲＡＮ用の第２のプロトコルスタックを立ち上げるなど、第１のＲＡＮから第２のＲＡＮへのハンドオーバのための再構成を実行する。プロセッサは、ハンドオーバ後に第２のＲＡＮと通信する。ハンドオーバは、第１のＲＡＮ用の第１のネットワークエンティティ（network entity）と第２のＲＡＮ用の第２のネットワークエンティティとの間でメッセージを交換することによって達成される。第１のネットワークエンティティは、インターアクセスシステムアンカー(Inter Access System(Inter-AS)Anchorと)することが可能であり、第２のネットワークエンティティはセービングＧＰＲＳサーポートノード（Serving GPRS Support Node(SGSN)）とすることが可能である。第１および第２のネットワークエンティティは、レガシーＧｎインターフェースを介して通信する。
【０００８】
他の実施形態に従った、少なくとも１つのプロセッサおよびメモリを含む装置（たとえばＡｃｃｅｓｓ  Ｇａｔｅｗａｙ（ＡＧＷ））について説明する。プロセッサは、第１のＲＡＮから第２のＲＡＮへのＵＥのハンドオーバを要求するメッセージを、第１のネットワークエンティティに送信する。プロセッサは、第１のＲＡＮから第２のＲＡＮへとＵＥをハンドオーバするために、第１のネットワークエンティティを介して、第２のネットワークエンティティとメッセージを交換する。プロセッサは、第１のＲＡＮから第２のＲＡＮへのハンドオーバを実行するために、ＵＥにもメッセージを送信する。
【０００９】
他の実施形態に従った、少なくとも１つのプロセッサおよびメモリを含む装置（たとえばインターアクセスシステムアンカー）について説明する。プロセッサは、第１のＲＡＮから第２のＲＡＮへのＵＥのハンドオーバを要求するメッセージを受け取り、第１のＲＡＮから第２のＲＡＮへとＵＥをハンドオーバするために、Ｇｎインターフェースを介してＳＧＳＮとメッセージを交換する。
【００１０】
本発明の様々な態様および実施形態について、以下でより詳細に説明する。
【００１１】
［詳細な記載］
「例示的」という語は、本明細書では「例、インスタンス、または例示として働く」ことを意味するために使用される。本明細書で「例示的」として説明されるいかなる実施形態も、必ずしも他の諸実施形態全体にわたって好ましいかまたは有利であると解釈されるものではない。
【００１２】
本明細書に記載されるシステム間ハンドオーバ技法は、ＣＤＭＡ、ＴＤＭＡ、ＦＤＭＡ、および直交ＦＤＭＡ（ＯＦＤＭＡ）ネットワークなどの、様々な無線通信ネットワークに使用することができる。「ネットワーク」および「システム」という用語は、しばしば交換可能なように使用される。わかりやすいように、これらの技法は、以下では３ＧＰＰベースのネットワークに関して説明される。
【００１３】
図１は、ＵＴＲＡＮ  １２０、Ｅ−ＵＴＲＡＮ  １３０、Ｇｅｎｅｒａｌ  Ｐａｃｋｅｔ  Ｒａｄｉｏ  Ｓｅｒｖｉｃｅ（ＧＰＲＳ）コアネットワーク１４０、およびＥｖｏｌｖｅｄ  Ｐａｃｋｅｔ  Ｃｏｒｅ（ＥＰＣ）ネットワーク１５０を伴う、例示的展開１００を示す。
【００１４】
ＵＴＲＡＮ  １２０は、無線ネットワークコントローラ（ＲＮＣ）に結合されたＮｏｄｅ  Ｂを含む。話を簡単にするために、図１には、３つのＮｏｄｅ  Ｂ  １２２ａ、１２２ｂ、および１２２ｃと１つのＲＮＣ  １２４のみが示されている。Ｎｏｄｅ  Ｂは、基地局、アクセスポイント、または何らかの他の用語で呼ばれる場合もある。Ｎｏｄｅ  Ｂ  １２２は、それらのカバレッジ内のＵＥに無線通信を提供する。ＲＮＣ  １２４は、Ｎｏｄｅ  Ｂ  １２２にコントロールを提供し、無線リソース管理、何らかの移動性（ｍｏｂｉｌｉｔｙ）管理機能、およびＵＥとＵＴＲＡＮとの間の通信をサポートするための他の機能を実行する。
【００１５】
Ｅ−ＵＴＲＡＮ  １３０は、アクセスゲートウェイに結合されたＥｖｏｌｖｅｄ  Ｎｏｄｅ  Ｂを含む。Ｅｖｏｌｖｅｄ  Ｎｏｄｅ  Ｂは、基地局、Ｅ−Ｎｏｄｅ  Ｂ、ｅＮｏｄｅ  Ｂ、ｅＮＢなどと呼ばれる場合もある。アクセスゲートウェイは、ＡＧＷ、ａＧＷ、アンカなどと呼ばれる場合もある。話を簡単にするために、図１には３つのＥ−Ｎｏｄｅ  Ｂ、１３２ａ、１３２ｂ、および１３２ｃと、１つのＡＧＷ  １３４のみが示されている。Ｅ−Ｎｏｄｅ  Ｂ  １３２は、それらのカバレッジ内のＵＥに無線通信を提供し、無線リソース管理を実行することができる。ＡＧＷ  １３４は、Ｅ−Ｎｏｄｅ  Ｂ  １３２に制御を提供する。ＡＧＷ  １３４は移動性管理エンティティ（ＭＭＥ）およびユーザプレーンエンティティ（ＵＰＥ）を含むことができる。ＭＭＥは、たとえばＥ−Ｎｏｄｅ  Ｂへのページングメッセージの配信などの、移動性管理機能を実行することができる。ＵＰＥは、ユーザプレーン上のデータ交換をサポートするための機能を実行することができる。
【００１６】
ＧＰＲＳコアネットワーク１４０は、ゲートウェイＧＰＲＳサポートノード（ＧＧＳＮ）１４４に結合されたサービングＧＰＲＳサポートノード（ＳＧＳＮ）１４２を含む。ＳＧＳＮ  １４２は、ＲＡＮとＧＧＳＮ  １４４との間のパケット交換を容易にし、ＵＥに関する移動性管理も実行する。ＧＧＳＮ  １４４はルーティング機能を実行し、外部データネットワークとパケットを交換する。ＳＧＳＮ  １４２はＵＴＲＡＮ  １２０内のＲＮＣ  １２４とインターフェースし、ＵＴＲＡＮと通信するＵＥに対するパケット交換サービスをサポートする。
【００１７】
進化したパケットコア（Evolved Packet Core）ネットワーク１５０は、インターアクセスシステムアンカーまたは何らかの他の用語で呼ばれる場合もある、インターアクセスシステムアンカ（ＩＡＳＡ）１５２を含む。ＡＧＷ  １３４は、Ｅ−ＵＴＲＡＮ  １３０に関する何らかの機能およびＥｖｏｌｖｅｄ  Ｐａｃｋｅｔ  Ｃｏｒｅネットワーク１５０に関する何らかの機能を実行することが可能であり、図１では両方のネットワークの一部として示される。インターアクセスシステムアンカー  １５２はＡＧＷ  １３４と、さらにはＧＰＲＳコアネットワーク１４０内のＳＧＳＮ  １４２とも、インターフェースする。インターアクセスシステムアンカー  １５２は、Ｅ−ＵＴＲＡＮ  １３０、ＵＴＲＡＮ  １２０、およびＧＰＲＳコアネットワーク１４０の間に、相互運用性を提供する。インターアクセスシステムアンカー  １５２は、ＧＰＲＳコアネットワーク内のＳＧＳＮとＧＧＳＮとの間のレガシーインターフェースであるＧｎインターフェースを介して、ＳＧＳＮ  １４２と通信することが可能である。Ｇｎインターフェースを使用することにより、ＳＧＳＮ  １４２は他のＳＧＳＮとの通信と同じ様式でインターアクセスシステムアンカー  １５２と通信することが可能であり、これによってレガシーネットワーク１２０および１４０が新しいネットワーク１３０および１５０と相互運用する場合の影響を最小限に抑える。
【００１８】
ＵＴＲＡＮ  １２０およびＧＰＲＳコアネットワーク１４０内のネットワークエンティティは、「Ｎｅｔｗｏｒｋ  ａｒｃｈｉｔｅｃｔｕｒｅ」と題する３ＧＰＰ  ＴＳ  ２３．００２、２００６年３月に記載されている。Ｅ−ＵＴＲＡＮ  １３０およびＥｖｏｌｖｅｄ  Ｐａｃｋｅｔ  Ｃｏｒｅネットワーク１５０内のネットワークエンティティは、「Ｆｅａｓｉｂｉｌｉｔｙ  Ｓｔｕｄｙ  ｆｏｒ  Ｅｖｏｌｖｅｄ  ＵＴＲＡ  ａｎｄ  ＵＴＲＡＮ」と題する３ＧＰＰ  ＴＲ  ２５．９１２、２００６年６月に記載されている。これらの文書は公開されている。
【００１９】
ＵＥ  １１０は、ＵＴＲＡＮ  １２０およびＥ−ＵＴＲＡＮ  １３０と通信可能な場合がある。ＵＥ  １１０は移動局、アクセス端末、または何らかの他の用語で呼ばれる場合もある。ＵＥ  １１０は、携帯電話、携帯情報端末（ＰＤＡ）、加入者ユニット、無線モデム、無線デバイス、端末などとすることができる。
【００２０】
ＵＥ  １１０は、制御プレーンおよびユーザプレーンを介して、ＵＴＲＡＮ  １２０またはＥ−ＵＴＲＡＮ  １３０と通信することができる。制御プレーンは高位層アプリケーションに関するシグナリングを搬送するためのメカニズムであり、ネットワーク特有のプロトコルおよびシグナリングメッセージで実施可能である。ユーザプレーンは高位層アプリケーションに関するデータを搬送するためのメカニズムであり、通常はユーザデータグラムプロトコル（ＵＤＰ）、伝送制御プロトコル（ＴＣＰ）、およびインターネットプロトコル（ＩＰ）などのプロトコルで実施される、ユーザプレーンベアラ（ｂｅａｒｅｒ）を採用する。ＵＥ  １１０は、制御プレーンおよびユーザプレーンに対して異なるプロトコルを利用する。
【００２１】
図２Ａは、ユーザプレーン上でそれぞれＵＴＲＡＮ  １２０およびＥ−ＵＴＲＡＮ  １３０と通信するための、ＵＥ  １１０での例示的なプロトコルスタック２２０および２３０を示す。プロトコルスタック２２０および２３０は、ネットワーク層、リンク層、および物理層を含む。プロトコルスタック２２０の場合、ネットワーク層はＩＰを含む。リンク層はパケットデータ収束プロトコル（ＰＤＣＰ）、無線リンク制御（ＲＬＣ）、および媒体アクセス制御（ＭＡＣ）を含む。物理層はＷ−ＣＤＭＡエアインターフェース（ＰＨＹ）である。プロトコルスタック２３０の場合、ネットワーク層はＩＰを含む。リンク層は、ＰＤＣＰ、Ｅｖｏｌｖｅｄ  ＲＬＣ（Ｅ−ＲＬＣ）、およびＥｖｏｌｖｅｄ  ＭＡＣ（Ｅ−ＭＡＣ）を含む。物理層は発展型（ｅｖｏｌｖｅｄ）エアインターフェース（Ｅ−ＰＨＹ）である。ＵＥ  １１０は、ＩＰおよびＰＤＣＰを介してＳＧＳＮ  １４２またはＡＧＷ  １３４とＩＰパケットを交換する。ＵＥ  １１０はＩＰパケットを交換するために、ＲＬＣ、ＭＡＣ、およびＰＨＹを介してＵＴＲＡＮ  １２０内のＮｏｄｅ  Ｂと通信する。ＵＥ  １１０はＩＰパケットを交換するために、Ｅ−ＲＬＣ、Ｅ−ＭＡＣ、およびＥ−ＰＨＹを介してＥ−ＵＴＲＡＮ  １３０内のＥ−Ｎｏｄｅ  Ｂと通信する。ＵＥ  １１０は、ＵＴＲＡＮ  １２０と通信する場合にプロトコルスタック２２０を使用し、Ｅ−ＵＴＲＡＮ  １３０と通信する場合にプロトコルスタック２３０を使用する。
【００２２】
図２Ｂは、制御プレーン上でそれぞれＵＴＲＡＮ  １２０およびＥ−ＵＴＲＡＮ  １３０と通信するための、ＵＥ  １１０での例示的なプロトコルスタック２２２および２３２を示す。プロトコルスタック２２２の場合、ネットワーク層は非アクセス階層（ｓｔｒａｔｕｍ）（ＮＡＳ）を含む。リンク層は無線リソース制御（ＲＲＣ）、ＲＬＣ、およびＭＡＣを含む。物理層はＰＨＹである。プロトコルスタック２３２の場合、ネットワーク層はＮＡＳを含む。リンク層はＰＤＣＰ、Ｅｖｏｌｖｅｄ  ＲＲＣ（Ｅ−ＲＲＣ）、Ｅ−ＲＬＣ、およびＥ−ＭＡＣを含む（図２Ｂに示される）か、またはＥ−ＲＲＣ、Ｅ−ＲＬＣ、およびＥ−ＭＡＣを含む（図２Ｂに示されない）場合がある。物理層はＥ−ＰＨＹである。ＵＥ  １１０は、ＮＡＳを介してＲＲＣ  １２４とシグナリングを交換する。ＵＥ  １１０はシグナリングを交換するために、ＲＬＣ、ＭＡＣ、およびＰＨＹを介してＵＴＲＡＮ  １２０内のＮｏｄｅ  Ｂと通信する。ＵＥ  １１０はＮＡＳおよびおそらくはＰＤＣＰを介して、ＡＧＷ  １３４とシグナリングを交換することができる。ＵＥ  １１０はシグナリングを交換するために、Ｅ−ＲＬＣ、Ｅ−ＭＡＣ、およびＥ−ＰＨＹを介してＥ−ＵＴＲＡＮ  １３０内のＥ−Ｎｏｄｅ  Ｂと通信する。ＵＥ  １１０は、ＵＴＲＡＮ  １２０と通信する場合にプロトコルスタック２２２を使用し、Ｅ−ＵＴＲＡＮ  １３０と通信する場合にプロトコルスタック２３２を使用する。
【００２３】
ＵＴＲＡＮ  １２０に関するプロトコルは、Ｈａｒｒｉ  Ｈｏｌｍａ等による「Ｗ−ＣＤＭＡ  ｆｏｒ  ＵＭＴＳ」Ｓｅｃｔｉｏｎ  ７、２００１年に記載されている。Ｅ−ＵＴＲＡＮに関するプロトコルは、前述の３ＧＰＰ  ＴＲ  ２５．９１２に記載されている。
【００２４】
図３Ａは、ＵＥ  １１０とＥ−ＵＴＲＡＮ  １３０との間の通信を示す。ＵＥ  １１０は、Ｅ−ＲＬＣ、Ｅ−ＭＡＣ、およびＥ−ＰＨＹを介してＥ−Ｎｏｄｅ  Ｂ  １３２ｃと通信する。ＵＥ  １１０は、ＩＰおよびＰＤＣＰを介してＡＧＷ  １３４とデータを交換し、さらにＮＡＳおよびＰＤＣＰを介してＡＧＷ  １３４とシグナリングを交換する。Ｅ−Ｎｏｄｅ  Ｂ  １３２は、Ｓ１インターフェースを介してＡＧＷ  １３４と通信する。ＡＧＷ  １３４は、ＵＥ  １１０に対するデータを、Ｅ−ＵＴＲＡＮ  １３０の外部に配置された他のデバイスへとルーティングすることができる。
【００２５】
図３Ｂは、Ｅ−ＵＴＲＡＮ  １３０のカバレッジ外を移動するＵＥ  １１０を示す。ＵＥ  １１０は、Ｅ−ＵＴＲＡＮ  １３０内のＥ−Ｎｏｄｅ  Ｂ  １３２ａと通信しながら、現在のサービス提供Ｅ−Ｎｏｄｅ  Ｂ  １３２ａよりも良好な任意のＮｏｄｅ  ＢおよびＥ−Ｎｏｄｅ  Ｂを検出するために、近くのＮｏｄｅ  ＢおよびＥ−Ｎｏｄｅ  Ｂからの信号を定期的に探索することができる。ＵＥ  １１０は、ＡＧＷ  １３４に測定レポートを送信することができる。この例では、ＵＥ  １１０は、Ｎｏｄｅ  Ｂ  １２２ｃからの信号が、Ｅ−Ｎｏｄｅ  Ｂ  １３２ａからＮｏｄｅ  Ｂ  １２２ｃへのハンドオーバに値する十分な量だけ、Ｅ−Ｎｏｄｅ  Ｂ  １３２ａからの信号よりも強いことを検出する。
【００２６】
図３Ｃは、ＵＥ  １１０の、Ｅ−ＵＴＲＡＮ  １３０からＵＴＲＡＮ  １２０へのシステム間ハンドオーバを示す。システム間ハンドオーバは、ＵＴＲＡＮ  １２０におけるＮｏｄｅ  ＢおよびＥ−ＵＴＲＡＮ  １３０におけるＥ−Ｎｏｄｅ  Ｂに対してＵＥ  １１０が実行した信号強度測定の受信値に基づいて、トリガすることができる。システム間ハンドオーバは、下記のように実行することができる。
【００２７】
図３Ｄは、システム間ハンドオーバ完了後の、ＵＥ  １１０とＵＴＲＡＮ  １２０との通信を示す。ユーザデータは、ＵＥ  １１０と、ＧＧＳＮとして動作するインターアクセスシステムアンカー  １５２を介してデータを転送するＳＧＳＮ  １４２との間で交換される。
【００２８】
実施形態では、Ｅ−ＵＴＲＡＮ  １３０からＵＴＲＡＮ  １２０へのＵＥ  １１０のシステム間ハンドオーバに関する、ＳＧＳＮ間セービング無線ネットワークサブシステム（Serving Radio Network Subsystem（ＳＲＮＳ））再配置プロシージャが実行される。このプロシージャの場合、インターアクセスシステムアンカー  １５２が、ハンドオーバを実行するためにＳＧＳＮ  １４２とＡＧＷ  １３４との間のメッセージ交換を容易にする。インターアクセスシステムアンカー  １５２は、Ｇｎインターフェースを介してＳＧＳＮ  １４２と通信し、ＳＧＳＮ  １４２に対して他のＳＧＳＮをエミュレート（emulate）（または表示(appear)）する。このエミュレーションによって、ＳＧＳＮ  １４２は、システム間ハンドオーバを、ＵＴＲＡＮにおける一方のＳＧＳＮから他方のＳＧＳＮへのＵＥのハンドオーバである、ＳＧＳＮ間ハンドオーバとして扱うことができる。その後ＳＧＳＮ  １４２は、ＳＧＳＮ間ハンドオーバに使用されるものと同じメッセージおよび内部プロシージャを使用して、システム間ハンドオーバをサポートすることができる。これにより、システム間ハンドオーバをサポートするためのＳＧＳＮ  １４２および他のネットワークエンティティへの影響が最小限に抑えられる。
【００２９】
図４は、Ｅ−ＵＴＲＡＮ  １３０からＵＴＲＡＮ  １２０へのＵＥ  １１０のハンドオーバに関するＳＧＳＮ間のＳＲＮＳ再配置プロシージャ４００の実施形態を示す。プロシージャ４００では、ＡＧＷ  １３４はソースＲＮＣとみなされ、インターアクセスシステムアンカー  １５２はソースＳＧＳＮとして動作し、ＲＮＣ  １４２はターゲットＲＮＣであり、ＳＧＳＮ  １４２はハンドオーバのターゲットＳＧＳＮである。
【００３０】
最初に、ＡＧＷ  １３４は、ＵＥから集められた測定レポートに基づいて、ＵＥ  １１０のシステム間ハンドオーバを実行することを決定する（ステップ１）。ＡＧＷ  １３４はハンドオーバ要求メッセージをインターアクセスシステムアンカー  １５２に送信し（ステップ２）、インターアクセスシステムアンカー  １５２は再配置要求転送メッセージ内でこの要求をＳＧＳＮ  １４２に転送する（ステップ３）。再配置要求転送メッセージは、ターゲットＲＮＣ  １２４のＩＤを含み、インターアクセスシステムアンカー  １５２を、ハンドオーバに関するソースＳＧＳＮおよびＧＧＳＮとして識別する。次にＳＧＳＮ  １４２は、再配置要求メッセージをＲＮＣ  １２４に送信する（ステップ４）。その後ＲＮＣ  １２４およびＳＧＳＮ  １４２は、ＵＥ  １１０に関して、物理層を構成するためおよび無線アクセスベアラ（ＲＡＢ）を確立するために、メッセージを交換する。ＲＮＣ  １２４は、ＵＥ  １１０に関してＲＬＣおよびＰＤＣＰを確立および構成する。ＰＨＹ構成およびＲＡＢ確立が完了した後、ＲＮＣ  １２４は、再配置要求肯定応答メッセージをＳＧＳＮ  １４２に送信する（同じくステップ４）。
【００３１】
次にＳＧＳＮ  １４２は、再配置応答転送メッセージをインターアクセスシステムアンカー  １５２に送信し、インターアクセスシステムアンカー  １５２はメッセージ内の情報をＡＧＷ  １３４に転送する（ステップ５）。再配置応答転送メッセージは、ＵＥ  １１０に関するリソースはレガシーシステム内のＳＧＳＮ  １４２とＲＮＣ  １２４との間で割り当てられていること、ＲＮＣ  １２４はデータを受信する準備が整っていること、およびＳＧＳＮ  １４２はＳＲＮＳを再配置する準備が整っていることを示す。次にＡＧＷ  １３４は、Ｅ−ＵＴＲＡＮ  １３０からＵＴＲＡＮ  １２０へとハンドオーバするためのメッセージを、ＵＥ  １１０に送る（ステップ６）。
【００３２】
ＡＧＷ  １３４は、無線コンテキストをインターアクセスシステムアンカー  １５２に送信することによってＳＲＮＳ再配置の実行を続行し、インターアクセスシステムアンカー  １５２はこの情報をＳＲＮＳコンテキスト転送メッセージ内でＳＧＳＮ  １４２に転送し、さらにＳＧＳＮ  １４２はこの情報をＲＮＣ  １２４に転送する（ステップ７）。無線コンテキストは、たとえばプロトコル状態、サービス品質（ＱｏＳ）パラメータなどの、無線通信に使用される適切な情報を含むことができる。ＳＧＳＮ  １４２は、ＳＲＮＳコンテキスト肯定応答転送メッセージをインターアクセスシステムアンカー  １５２に戻し、インターアクセスシステムアンカー  １５２はこの肯定応答をＡＧＷ  １３４に転送する（同じくステップ７）。無損失ＳＲＮＳ再配置が実行可能であり、ＡＧＷ  １３４はＳＲＮＳ交換（図４には図示せず）時のパケット損失を避けるために、引き続きＵＥ  １１０に関するパケットをＲＮＣ  １２４に転送することができる。
【００３３】
ＵＥ  １１０は、ステップ６でハンドオーバメッセージを受信すると、たとえばＥ−ＵＴＲＡＮ１３０用のプロトコルスタックの停止、およびＵＴＲＡＮ  １２０用のプロトコルスタックの立ち上げなどの、ハンドオーバのための再構成を実行する。ＵＥ  １１０がそれ自体を再構成した後、ＵＥは再構成完了メッセージをＲＮＣ  １２４に送信する（ステップ８）。このメッセージを受信すると、ＲＮＣ  １２４は再配置完了メッセージをＳＧＳＮ  １２４に送信する（ステップ９）。ＳＧＳＮ  １４２は、再配置完了転送メッセージをインターアクセスシステムアンカー  １５２に送信し、インターアクセスシステムアンカー  １５２はこの情報をＡＧＷ  １３４に転送する（ステップ１０）。このメッセージは、ＳＲＮＳ再配置プロシージャの完了をＡＧＷ  １３４に通知する。ＡＧＷ  １３４は肯定応答をインターアクセスシステムアンカー  １５２に戻し、インターアクセスシステムアンカー  １５２はこの肯定応答を、再配置完了肯定応答転送メッセージ内でＳＧＳＮ  １４２に転送する（同じくステップ１０）。次にＡＧＷ  １３４は、ＵＥ  １１０に関する無線リソースを解放する。
【００３４】
ステップ９で再配置完了メッセージを受信した後、ＳＧＳＮ  １４２はＰＤＰコンテキスト要求更新メッセージをインターアクセスシステムアンカー  １５２に送信し、インターアクセスシステムアンカー  １５２はこの要求をＡＧＷ  １３４に転送する（ステップ１１）。ＵＥ  １１０は、ＩＰパケットに関するルーティング情報（たとえばＵＥ  １１０およびインターアクセスシステムアンカー  １５２のＩＰアドレス）、ＱｏＳプロファイルなどの、様々なパラメータを含む、パケットデータプロトコル（ＰＤＰ）コンテキストを活動化することによって、Ｅ−ＵＴＲＡＮ  １３０との呼を確立した可能性がある。ＡＧＷ  １３４は、呼の間にＵＥ  １１０に関するＰＤＰコンテキストを格納し、ＳＧＳＮ  １４２からの要求に応答して、このＰＤＰコンテキストをインターアクセスシステムアンカー  １５２に転送し、インターアクセスシステムアンカー  １５２はこの情報を、ＰＤＰコンテキスト応答更新メッセージ内でＳＧＳＮ  １４２に転送する（同じくステップ１１）。インターアクセスシステムアンカー  １５２は、ＵＥ  １１０に関するそのＰＤＰコンテキストフィールドを更新するため、結果として、ＵＥに関するその後のパケットは、ＡＧＷ  １３４の代わりにＳＧＳＮ  １４２へ転送される。ステップ１１は、ユーザプレーンをＡＧＷ  １３４からＲＮＣ  １２４へと切り替える。ハンドオーバプロシージャの第１の段階において、およびステップ１１でＰＤＰコンテキストが更新されるまで、ＳＧＳＮ  １４２はインターアクセスシステムアンカー  １５２と通信し、インターアクセスシステムアンカー  １５２はＳＧＳＮ  １４２に対するソースＳＧＳＮとして働く。ＰＤＰコンテキストが更新された後、インターアクセスシステムアンカー  １５２はＳＧＳＮ  １４２に対するＧＧＳＮとして働く。
【００３５】
ＳＲＮＳ再配置が完了した後、ＵＥ  １１０は、インターアクセスシステムアンカー  １５２およびＳＧＳＮ  １４２を含むルーティング領域更新プロシージャを実行する（ステップ１２）。様々な無線アクセス技術が様々な登録領域を有する可能性がある。ＵＥ  １１０は、ＳＧＳＮ  １４２を介してＵＴＲＡＮ  １２０に登録するため、ＵＴＲＡＮは、後に必要であればＵＥの位置を特定することができる。
【００３６】
インターアクセスシステムアンカー  １５２は、ＡＧＷ  １３４およびＳＧＳＮ  １４２とシステム間ハンドオーバに関するメッセージを交換する。インターアクセスシステムアンカー  １５２は、Ｇｎインターフェースを介して、および「ＧＰＲＳ  Ｔｕｎｎｅｌｌｉｎｇ  Ｐｒｏｔｏｃｏｌ（ＧＴＰ）  ａｃｒｏｓｓ  Ｇｎ  ａｎｄ  Ｇｐ  ｉｎｔｅｒｆａｃｅ」と題する３ＧＰＰ  ＴＳ  ２９．０６０、２００６年６月に記載されたメッセージを使用して、ＳＧＳＮ  １４２と通信する。インターアクセスシステムアンカー  １５２は、たとえば３ＧＰＰによって定義されているＳ５ａインターフェースなどの好適なインターフェースを介して、ＡＧＷ  １３４と通信することができる。インターアクセスシステムアンカー  １５２とＡＧＷ  １３４との間で交換されるメッセージは、現在、３ＧＰＰによって定義されておらず、図４には示されていない。一般に、インターアクセスシステムアンカー  １５２とＡＧＷ  １３４との間で交換されるメッセージは、任意の好適なメッセージとすることが可能であり、ＳＧＳＮ  １４２に直接送信すること、またはＳＧＳＮ  １４２への転送に先立って何らかの他のメッセージ内に封入することが可能である。ステップ６のハンドオーバメッセージは、システム間ハンドオーバに関する適切な情報を含めるように定義することができる。
【００３７】
プロシージャ４００では、ＵＥ  １１０は、ステップ８より前には新しいプロトコルスタック２３０および２３２で動作し、ステップ８およびそれ以降はレガシープロトコルスタック２２０および２２２で動作する。ＵＥ  １１０は、任意の所与の時点で１つのプロトコルスタックセットのみを動作させることが可能であり、新しいプロトコルスタックとレガシープロトコルスタックの両方を同時にサポートする必要がないため、ＵＥの動作を簡略化することができる。
【００３８】
図５は、ＳＧＳＮ  １４２とインターアクセスシステムアンカー  １５２との間のインターフェースを示す。インターアクセスシステムアンカー  １５２は仮想ＳＧＳＮおよび仮想ＧＧＳＮをエミュレートし、Ｇｎインターフェースを介してＳＧＳＮ  １４２と通信する。インターアクセスシステムアンカー  １５２は、ＵＥ  １１０に関するＰＤＰコンテキストの更新に先立ってはソースＳＧＳＮとしての挙動を示し、ＰＤＰコンテキストの更新後はＧＧＳＮとしての挙動を示す。プロシージャ４００の場合にＳＧＳＮ  １４２とインターアクセスシステムアンカー  １５２との間で交換されるメッセージは、ＵＴＲＡＮ  １２０におけるＳＧＳＮ間のＳＲＮＳ再配置プロシージャの場合に新しいＳＧＳＮと古いＳＧＳＮとの間で交換されるメッセージと同様である（または同一である可能性もある）。したがって、ＳＧＳＮ  １４２は、既存のメッセージおよびプロシージャを使用してシステム間ハンドオーバをサポートすることができる。
【００３９】
図４は、ＵＥ  １１０の、Ｅ−ＵＴＲＡＮ  １３０からＵＴＲＡＮ  １２０へのシステム間ハンドオーバに関する例示的プロシージャ４００を示す。システム間ハンドオーバは、他のプロシージャおよび／または他のメッセージ流れを使用して実行することもできる。さらにメッセージは、様々な順序で送信することもできる。一般に、インターアクセスシステムアンカー  １５２は、ＳＧＳＮ  １４２によって認識される任意のネットワークエンティティをエミュレートすることが可能であるため、その後ＳＧＳＮ  １４２は、既存のプロシージャを使用してシステム間ハンドオーバをサポートすることが可能になる。インターアクセスシステムアンカー  １５２がＳＧＳＮをエミュレートし、Ｇｎインターフェースを介してＳＧＳＮ  １４２と通信する場合、インターアクセスシステムアンカー  １５２、ＡＧＷ  １３４、およびＵＥ  １１０に関するシステム間ハンドオーバの複雑さが低減される可能性がある。ＧｎインターフェースはＩＰベースであり、より高位層で動作する。したがって、インターアクセスシステムアンカー  １５２およびＡＧＷ  １３４は、ＩＰ層でのＳＧＳＮ  １４２からのメッセージを終了させることができる。インターアクセスシステムアンカー  １５２はＲＮＣをエミュレートすることも可能であり、ＲＲＣ、ＲＬＣ、およびＭＡＣで動作するＩｕインターフェースを介してＳＧＳＮ  １４２と通信する。しかしながら、ＲＲＣ、ＲＬＣ、およびＭＡＣを終了させるためにインターアクセスシステムアンカー  １５２の複雑さが増加することになり、ハンドオーバ時に２つのデータトンネルをサポートするためにＡＧＷ  １３４の複雑さが増加することになり、ハンドオーバ時に新しいプロトコルスタックとレガシープロトコルスタックとを同時にサポートするためにＵＥ  １１０の複雑さも増加することになる。
【００４０】
システム間ハンドオーバ技法は、前述のように、Ｅ−ＵＴＲＡＮからＵＴＲＡＮへのハンドオーバに使用することができる。ＵＴＲＡＮは、特にＥ−ＵＴＲＡＮの初期の展開段階では、Ｅ−ＵＴＲＡＮよりも広範囲に展開することが可能である。この技法により、ＵＥは、Ｅ−ＵＴＲＡＮからＵＴＲＡＮにハンドオーバされ、Ｅ−ＵＴＲＡＮのカバレッジ外を移動中にも引き続き通信サービスを受け取ることができる。
【００４１】
システム間ハンドオーバ技法は、ＵＴＲＡＮからＥ−ＵＴＲＡＮへのハンドオーバにも使用することができる。この場合、インターアクセスシステムアンカー  １５２はターゲットＳＧＳＮとしての挙動を示し、ハンドオーバを達成するためにソースＳＧＳＮとメッセージを交換することができる。図４におけるメッセージ流れは、プロシージャ４００内のＡＧＷ  １３４がＵＴＲＡＮ内のソースＲＮＣに置き換えられ、インターアクセスシステムアンカー  １５２が古いＳＧＳＮに置き換えられ、ターゲットＲＮＣ  １２４がＡＧＷ  １３４に置き換えられ、ターゲットＳＧＳＮ  １４２がインターアクセスシステムアンカー  １５２に置き換えられるが、ＵＴＲＡＮからＥ−ＵＴＲＡＮへのハンドオーバに使用することが可能である。ソースＲＮＣはステップ６でＵＥ  １１０にＲＲＣメッセージを送信することが可能であり、ＵＥ  １１０はステップ８で他のＲＲＣメッセージをＡＧＷ  １３４に送信することが可能である。
【００４２】
システム間ハンドオーバ技法は、Ｅ−ＵＴＲＡＮから、ＧＳＭ／ＥＤＧＥ  ＲＡＮ（ＧＥＲＡＮ）などの他のＲＡＮへのハンドオーバにも使用することができる。異なるネットワークエンティティおよびメッセージを伴うが、図４に示されたものと同様のメッセージ流れを使用することができる。
【００４３】
システム間ハンドオーバ技法は、レガシーシステムにほとんどまたはまったく影響を与えることなく、Ｅ−ＵＴＲＡＮとＵＴＲＡＮとの間の平滑な相互運用性を可能にする。この技法は、新しいシステムおよびＵＥに与える影響も低減させることができる。この技法は、短い割り込み時間でハンドオーバを実行できる場合もある。
【００４４】
図６は、システム間ハンドオーバに関してＵＥによって実行されるプロセス６００の実施形態を示す。ＵＥは、最初に、たとえば第１のプロトコルスタックを使用して第１のＲＡＮと通信する（ブロック６１２）。ＵＥは、第１のＲＡＮから第２のＲＡＮへとハンドオーバするためのメッセージを受信する（ブロック６１４）。第１のＲＡＮはＥ−ＵＴＲＡＮとすることが可能であり、第２のＲＡＮはＵＴＲＡＮとすることが可能である。第１および第２のＲＡＮは、他のＲＡＮとすることもできる。ハンドオーバは、第１のＲＡＮ用の第１のネットワークエンティティ（たとえばインターアクセスシステムアンカー）と、第２のＲＡＮ用の第２のネットワークエンティティ（たとえばＳＧＳＮ）との間で、Ｇｎインターフェースを介して交換されるメッセージによって達成される。ＵＥは、たとえば第１のＲＡＮ用の第１のプロトコルスタックを停止させ、第２のＲＡＮ用の第２のプロトコルスタックを立ち上げるなど、ハンドオーバのための再構成を実行する（ブロック６１６）。ＵＥは、第２のＲＡＮと通信させる前に、第１のＲＡＮとの通信を切断することができる。ＵＥは、ハンドオーバ後、たとえば第２のプロトコルスタックを使用して第２のＲＡＮと通信する（ブロック６１８）。ＵＥは、第２のＲＡＮへのハンドオーバ後、第１および第２のネットワークエンティティ（たとえばインターアクセスシステムアンカーおよびＳＧＳＮ）を介してパケットを交換することができる（ブロック６２０）。
【００４５】
図７は、システム間ハンドオーバをサポートするためにＡＧＷによって実行されるプロセス７００の実施形態を示す。第１のＲＡＮおよび第２のＲＡＮ内の基地局についての測定レポートがＵＥから受け取られる（ブロック７１２）。第１のＲＡＮはＥ−ＵＴＲＡＮとすることが可能であり、第２のＲＡＮはＵＴＲＡＮとすることが可能である。第１および第２のＲＡＮは他のＲＡＮとすることもできる。第１のＲＡＮから第２のＲＡＮへのＵＥのハンドオーバが測定レポートに基づいて開始される（ブロック７１４）。第１のＲＡＮから第２のＲＡＮへのＵＥのハンドオーバを要求するメッセージが、Ｇｎインターフェースを介して第２のＲＡＮ用の第２のネットワークエンティティ（たとえばＳＧＳＮ）と通信している、第１のＲＡＮ用の第１のネットワークエンティティ（たとえばインターアクセスシステムアンカー）に送信される（ブロック１７６）。
【００４６】
第１のＲＡＮから第２のＲＡＮへとＵＥをハンドオーバさせるために、第１のネットワークエンティティを介して第２のネットワークエンティティとメッセージが交換される（ブロック７１８）。ＵＥに関する無線コンテキストおよびＰＤＰコンテキストを第２のネットワークエンティティに転送することができる。無線コンテキストを使用して、ＵＥに関する無線アクセスベアラを確立することができる。ＰＤＰコンテキストを使用して、ＵＥに関するデータをルーティングすることができる。第１のＲＡＮから第２のＲＡＮへのハンドオーバを実行するために、ＵＥにメッセージが送信される（ブロック７２０）。ＵＥの再配置の完了を示すメッセージが、第２のネットワークエンティティから受信される（ブロック７２２）。その後、ＵＥに関する無線リソースが解放される（ブロック７２４）。
【００４７】
図８は、システム間ハンドオーバをサポートするためにインターアクセスシステムアンカーによって実行されるプロセス８００の実施形態を示す。第１のＲＡＮから第２のＲＡＮへのＵＥのハンドオーバを要求するメッセージが受信される（ブロック８１２）。第１のＲＡＮはＥ−ＵＴＲＡＮとすることが可能であり、第２のＲＡＮはＵＴＲＡＮとすることが可能である。第１および第２のＲＡＮは他のＲＡＮとすることもできる。第１のＲＡＮから第２のＲＡＮへとＵＥをハンドオーバするために、Ｇｎインターフェースを介してターゲットＳＧＳＮとメッセージが交換される（８１４）。ターゲットＳＧＳＮと交換されたメッセージは、第１のＲＡＮ用の、ＵＥと通信しているＡＧＷに転送される（ブロック８１６）。交換されるメッセージは、第１のＲＡＮから第２のＲＡＮへのハンドオーバを２つのＳＧＳＮ間のハンドオーバとして扱う、ＳＧＳＮ間のＳＲＮＳ再配置プロシージャに関するものとすることができる。
【００４８】
インターアクセスシステムアンカーは、ターゲットＳＧＳＮと交換されるメッセージについてソースＳＧＳＮをエミュレートすることができる。インターアクセスシステムアンカーは、第２のＲＡＮへのハンドオーバ後、ＧＧＳＮをエミュレートし、ＵＥに関するパケットをＳＧＳＮと交換することができる（ブロック８１８）。インターアクセスシステムアンカーは、ＵＥに関するＰＤＰコンテキストを格納し、このＰＤＰコンテキストに従ってＵＥに関するパケットを転送することができる。
【００４９】
図９は、図１のＵＥ  １１０および様々なネットワークエンティティの実施形態を示すブロック図である。アップリンクでは、ＵＥ  １１０はデータおよびシグナリングをＵＴＲＡＮ  １２０内の１つまたは複数のＮｏｄｅ  Ｂ、および／またはＥ−ＵＴＲＡＮ  １３０内の１つまたは複数のＥ−Ｎｏｄｅ  Ｂに伝送することができる。データおよびシグナリングはプロセッサ９１０によって処理され、伝送されるアップリンク信号を生成するためにトランシーバ９１４によって条件付けされる。Ｎｏｄｅ  Ｂ  １２２および／またはＥ−Ｎｏｄｅ  Ｂ  １３２で、ＵＥ  １１０および他のＵＥからのアップリンク信号が受信され、それぞれトランシーバ９２６および９３６によって条件付けされ、さらに、ＵＥによって送信されたアップリンクデータおよびシグナリングを回復するために、それぞれプロセッサ９２０および９３０によって処理される。
【００５０】
ダウンリンクでは、Ｎｏｄｅ  Ｂ  １２２およびＥ−Ｎｏｄｅ  Ｂ  １３２が、それらのカバレッジ領域内のＵＥにデータおよびシグナリングを伝送する。Ｎｏｄｅ  Ｂ  １２２で、データおよびシグナリングがプロセッサ９２０によって処理され、ＵＥに伝送されるダウンリンク信号を生成するためにトランシーバ９２６によって条件付けされる。Ｅ−Ｎｏｄｅ  Ｂ  １３２で、データおよびシグナリングはプロセッサ９３０によって処理され、ＵＥに伝送されるダウンリンク信号を生成するためにトランシーバ９３６によって条件付けされる。ＵＥ  １１０で、Ｎｏｄｅ  ＢおよびＥ−Ｎｏｄｅ  Ｂからのダウンリンク信号が受信され、トランシーバ９１４によって条件付けされ、さらに、ダウンリンクデータおよびシグナリングを回復するために、プロセッサ９１０によって処理される。
【００５１】
メモリ９１２、９２２、および９３２は、それぞれＵＥ  １１０、Ｎｏｄｅ  Ｂ  １２２、およびＥ−Ｎｏｄｅ  Ｂ  １３２に関するプログラムコードおよびデータを格納する。通信（Ｃｏｍｍ）ユニット９２４および９３４は、Ｎｏｄｅ  Ｂ  １２２およびＥ−Ｎｏｄｅ  Ｂ  １３２がそれぞれＲＮＣ  １２４およびＡＧＷ  １３４と通信できるようにする。システム間ハンドオーバの場合、ＵＥ  １１０のプロセッサ９１０は図６のプロセス６００と、図４のＵＥ  １１０に関する処理を実行することができる。
【００５２】
ＲＮＣ  １２４は、プロセッサ９４０、メモリ９４２、およびＣｏｍｍユニット９４４を含む。ＡＧＷ  １３４は、プロセッサ９５０、メモリ９５２、およびＣｏｍｍユニット９５４を含む。ＳＧＳＮ  １４２は、プロセッサ９６０、メモリ９６２、およびＣｏｍｍユニット９６４を含む。インターアクセスシステムアンカー  １５２は、プロセッサ９７０、メモリ９７２、およびＣｏｍｍユニット９７４を含む。各ネットワークエンティティについて、プロセッサはそのネットワークエンティティに適切な処理を実行し、メモリはプログラムコードおよびデータを格納し、Ｃｏｍｍユニットは適切なインターフェースを介した他のネットワークとの通信をサポートする。ＡＧＷ  １３４のプロセッサ９５０は、システム間ハンドオーバに関して、図７のプロセス７００と、図４のＡＧＷ  １３４に関する処理とを実行することが可能である。プロセッサ９７０は、システム間ハンドオーバに関して、図８のプロセス８００と、図４のインターアクセスシステムアンカー  １５２に関する処理とを実行することが可能である。プロセッサ９６０は、システム間ハンドオーバに関して、図４のＳＧＳＮ  １４２に関する処理を実行することが可能である。Ｃｏｍｍユニット９７４は、Ｇｎインターフェースを介してＳＧＳＮ  １４２と通信し、他のインターフェースを介してＡＧＷ  １３４および外部ネットワークと通信することができる。
【００５３】
一般に、各エンティティは任意数のプロセッサ、メモリ、通信ユニット、トランシーバ、コントローラなどを含むことができる。
【００５４】
当業者であれば、情報および信号が任意の多様な異なる技術および技法を使用して表示可能であることを理解されよう。たとえば、上記の説明全体にわたって参照可能なデータ、命令、コマンド、情報、信号、ビット、シンボル、およびチップは、電圧、電流、電磁波、磁場または磁性粒子、光場または光粒子、あるいはそれらの任意の組合せによって表すことができる。
【００５５】
さらに当業者であれば、本明細書に開示された諸実施形態に関連して説明された様々な例示的論議ブロック、モジュール、回路、およびアルゴリズムステップが、電子ハードウェア、コンピュータソフトウェア、またはその両方の組合せとして実施可能であることも理解されよう。このハードウェアとソフトウェアの交換可能性をわかりやすく例示するために、上記では、様々な例示的構成要素、ブロック、モジュール、回路、およびステップについて、全体としてそれらの機能で表して説明してきた。こうした機能がハードウェアで実施されるかソフトウェアで実施されるかは、特定の適用例およびシステム全体に課せられた設計制約に依存する。当業者であれば、説明された機能を、それぞれ特定の適用例に関する様々な方法で実施することが可能であるが、こうした実施の決定は、本発明の範囲を逸脱させるものと解釈されるべきではない。
【００５６】
本明細書に開示された諸実施形態に関連して説明された様々な例示的論理ブロック、モジュール、および回路は、汎用プロセッサ、デジタル信号プロセッサ、特定用途向け集積回路（ＡＳＩＣ）、フィールドプログラム可能ゲートアレイ（ＦＰＧＡ）または他のプログラム可能論理デバイス、離散ゲートまたはトランジスタ論理、離散ハードウェア構成要素、あるいは本明細書に記載された機能を実行するように設計されたそれらの任意の組合せによって、実施または実行することができる。汎用プロセッサはマイクロプロセッサとすることができるが、代替形態では、プロセッサは任意の従来のプロセッサ、コントローラ、マイクロコントローラ、または状態マシンとすることができる。プロセッサは、たとえば、ＤＳＰおよびマイクロプロセッサの組合せ、複数のマイクロプロセッサ、ＤＳＰコアと併用する１つまたは複数のマイクロプロセッサ、または任意の他のこうした構成などの、コンピューティングデバイスの組合せとして実施することもできる。
【００５７】
本明細書に開示された諸実施形態に関連して説明された方法またはアルゴリズムの諸ステップは、ハードウェアで、プロセッサによって実行されるソフトウェアモジュールで、またはそれら２つの組合せで、直接具体化することができる。ソフトウェアモジュールは、当分野で知られた、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または任意の他の形の記憶媒体に常駐することができる。例示的記憶媒体は、プロセッサが記憶媒体から情報を読み取り、記憶媒体に情報を書き込むことができるように、プロセッサに結合される。代替形態では、記憶媒体はプロセッサに不可欠である可能性がある。プロセッサおよび記憶媒体はＡＳＩＣに常駐することができる。ＡＳＩＣはユーザ端末に常駐することができる。代替形態では、プロセッサおよび記憶媒体は、離散構成要素としてユーザ端末に常駐することができる。
【００５８】
開示された諸実施形態の前述の説明は、当業者であれば誰でも本発明を使用できるようにするために提供される。これらの諸実施形態への様々な修正は、当業者に容易に明らかとなるものであり、本明細書に定義された汎用原理は、本発明の精神または範囲を逸脱することなく他の諸実施形態に適用することが可能である。したがって本発明は、本明細書に示された諸実施形態に限定されることは意図されていないが、本明細書に開示された原理および新規な特徴に合致する最も広い範囲が与えられるものとする。
【図面の簡単な説明】
【００５９】
【図１】ＵＴＲＡＮおよびＥ−ＵＴＲＡＮを伴う展開を示す図である。
【図２Ａ】ユーザプレーン用のプロトコルスタックを示す図である。
【図２Ｂ】制御プレーン用のプロトコルスタックを示す図である。
【図３Ａ】Ｅ−ＵＴＲＡＮからＵＴＲＡＮへのＵＥのハンドオーバを示す図である。
【図３Ｂ】Ｅ−ＵＴＲＡＮからＵＴＲＡＮへのＵＥのハンドオーバを示す図である。
【図３Ｃ】Ｅ−ＵＴＲＡＮからＵＴＲＡＮへのＵＥのハンドオーバを示す図である。
【図３Ｄ】Ｅ−ＵＴＲＡＮからＵＴＲＡＮへのＵＥのハンドオーバを示す図である。
【図４】ＳＧＳＮ間のＳＲＮＳ再配置プロシージャを示す図である。
【図５】ＳＧＳＮとインターアクセスシステムアンカーとの間のインターフェースを示す図である。
【図６】システム間ハンドオーバのためにＵＥによって実行されるプロセスを示す図である。
【図７】システム間ハンドオーバのためにＡＧＷによって実行されるプロセスを示す図である。
【図８】システム間ハンドオーバのためにインターアクセスシステムアンカーによって実行されるプロセスを示す図である。
【図９】ＵＥおよび様々なネットワークエンティティを示すブロック図である。
【図１】
2009503941.tif 000003
【図２Ａ】
2009503941.tif 000004
【図２Ｂ】
2009503941.tif 000005
【図３Ａ】
2009503941.tif 000006
【図３Ｂ】
2009503941.tif 000007
【図３Ｃ】
2009503941.tif 000008
【図３Ｄ】
2009503941.tif 000009
【図４】
2009503941.tif 000010
【図５】
2009503941.tif 000011
【図６】
2009503941.tif 000012
【図７】
2009503941.tif 000013
【図８】
2009503941.tif 000014
【図９】
2009503941.tif 000015
【国際調査報告】
2009503941.tif 000016
2009503941.tif 000017